(57)【要約】      （修正有）【課題】快適な装着感を持続するマスクを提供する。【解決手段】マスク１は、着用者の口を少なくとも覆うマスク本体部３と、マスク本体部に接続され、伸縮性を有する紐状に形成された耳掛け部５ａ，５ｂとを有し、耳掛け部の断面積は、０．０７から０．１９６ｃｍ２であり、伸長した状態から伸長していない状態に戻ろうとする戻り力が０．０１６Ｎよりも強く０．５１２Ｎよりも弱いものとする。【選択図】図１
0003197113.tif 000002
【実用新案登録請求の範囲】
【請求項１】
着用者の口を少なくとも覆うマスク本体部と、
前記マスク本体部に接続され、伸縮性を有する紐状に形成された耳掛け部と
を有し、
前記耳掛け部は、伸長した状態から伸長していない状態に戻ろうとする戻り力が０．０１６（Ｎ）よりも強く０．５１２（Ｎ）よりも弱いこと
を特徴とするマスク。
【請求項２】
着用者の口を少なくとも覆うマスク本体部と、
前記マスク本体部に接続され、伸縮性を有する紐状に形成された耳掛け部と
を有し、
前記耳掛け部の断面積は、０．０７（ｃｍ２）から０．１９６（ｃｍ２）であること
を特徴とするマスク。
【請求項３】
着用者の口を少なくとも覆うマスク本体部と、
前記マスク本体部に接続され、伸縮性を有する紐状に形成された耳掛け部と
を有し、
前記耳掛け部は、糸状部材を編組して形成されており、
前記耳掛け部における前記糸状部材の含有率は、３．８７体積パーセント以上であって５．３７体積パーセントよりも低いこと
を特徴とするマスク。
【請求項４】
前記耳掛け部は、伸長した状態から伸長していない状態に戻ろうとする戻り力が０．０１６（Ｎ）よりも強く０．５１２（Ｎ）よりも弱いこと
を特徴とする請求項２又は３に記載のマスク。
【請求項５】
前記耳掛け部の断面積は、０．０７（ｃｍ２）から０．１９６（ｃｍ２）であること
を特徴とする請求項１又は３に記載のマスク。
【請求項６】
前記耳掛け部は、糸状部材を編組して形成されており、
前記耳掛け部における前記糸状部材の含有率は、３．８７体積パーセント以上であって５．３７体積パーセントよりも低いこと
を特徴とする請求項１又は２に記載のマスク。
【請求項７】
前記耳掛け部は、前記糸状部材を編組して形成されたメッシュ構造の側壁を備えた筒形状を有すること
を特徴とする請求項１から６までのいずれか一項に記載のマスク。
【請求項８】
前記糸状部材は、熱可塑性合成樹脂で形成されていること
を特徴とする請求項１から７までのいずれか一項に記載のマスク。
【請求項９】
着用者の口を少なくとも覆うマスク本体部と、
前記マスク本体部の第１側端縁部及び前記第１側端縁部に対向する第２側端縁部にそれぞれ環状に接続され、糸状部材を編組して伸縮性を有する紐状に形成された耳掛け部と、
前記第１側端縁部の中央部及び前記第２側端縁部の中央部のそれぞれに形成された切れ込み部と、
前記第１側端縁部と前記第２側端縁部とに直交する上端縁部側に設けられ、上端縁部の一部を所定の形状で保持する保形部材と
を有し、
前記耳掛け部は、伸長した状態から伸長していない状態に戻ろうとする戻り力が０．０１６（Ｎ）よりも強く０．５１２（Ｎ）よりも弱く、
前記耳掛け部の断面積は、０．０７（ｃｍ２）から０．１９６（ｃｍ２）であり、
前記耳掛け部における前記糸状部材の含有率は、３．８７体積パーセント以上であって５．３７体積パーセントよりも低いこと
を特徴とするマスク。
【考案の詳細な説明】
【技術分野】
【０００１】
本考案は、着用者の顔に装着されるマスクに関する。
【背景技術】
【０００２】
現在、花粉用マスクや衛生マスクなど、種々の形状のマスク（例えば、特許文献１）やこれらのマスクに用いられるマスクストラップ（例えば、特許文献２）が知られている。
マスクは、着用者の顔に長時間装着される場合があるため、快適な装着感が持続することが求められる。
【先行技術文献】
【特許文献】
【０００３】
【特許文献１】特開２００８−５５０３５号公報
【特許文献２】特開２００５−１３９５７８号公報
【考案の概要】
【考案が解決しようとする課題】
【０００４】
本考案の目的は、快適な装着感を持続するマスクを提供することにある。
【課題を解決するための手段】
【０００５】
本考案の第１の態様によるマスクは、着用者の口を少なくとも覆うマスク本体部と、前記マスク本体部に接続され、伸縮性を有する紐状に形成された耳掛け部とを有し、前記耳掛け部は、伸長した状態から伸長していない状態に戻ろうとする戻り力が０．０１６（Ｎ）よりも強く０．５１２（Ｎ）よりも弱いことを特徴とする。
本考案の第２の態様によるマスクは、着用者の口を少なくとも覆うマスク本体部と、前記マスク本体部に接続され、伸縮性を有する紐状に形成された耳掛け部とを有し、前記耳掛け部の断面積は、０．０７（ｃｍ２）から０．１９６（ｃｍ２）であることを特徴とする。
【０００６】
本考案の第３の態様によるマスクは、着用者の口を少なくとも覆うマスク本体部と、前記マスク本体部に接続され、伸縮性を有する紐状に形成された耳掛け部とを有し、前記耳掛け部は、糸状部材を編組して形成されており、前記耳掛け部における前記糸状部材の含有率は、３．８７体積パーセント以上であって５．３７体積パーセントよりも低いことを特徴とする。
【０００７】
本考案の第４の態様によるマスクは、着用者の口を少なくとも覆うマスク本体部と、前記マスク本体部の第１側端縁部及び前記第１側端縁部に対向する第２側端縁部にそれぞれ環状に接続され、糸状部材を編組して伸縮性を有する紐状に形成された耳掛け部と、前記第１側端縁部の中央部及び前記第２側端縁部の中央部のそれぞれに形成された切れ込み部と、前記第１側端縁部と前記第２側端縁部とに直交する上端縁部側に設けられ、上端縁部の一部を所定の形状で保持する保形部材とを有し、前記耳掛け部は、伸長した状態から伸長していない状態に戻ろうとする戻り力が０．０１６（Ｎ）よりも強く０．５１２（Ｎ）よりも弱く、前記耳掛け部の断面積は、０．０７（ｃｍ２）から０．１９６（ｃｍ２）であり、前記耳掛け部における前記糸状部材の含有率は、３．８７体積パーセント以上であって５．３７体積パーセントよりも低いことを特徴とする。
【考案の効果】
【０００８】
本考案によれば、快適な装着感を持続することができる。
【図面の簡単な説明】
【０００９】
【図１】本考案の一実施形態によるマスク１の概略構成を示す正面図である。
【図２】本考案の一実施形態によるマスク１の断面を模式的に示す図である。
【図３】本考案の一実施形態によるマスク１の使用状態を模式的に示す図である。
【図４】本考案の一実施形態によるマスク１を説明する図であって、耳掛け部の戻り力の特性を示すグラフである。
【考案を実施するための形態】
【００１０】
本考案の一実施形態によるマスクについて図１から図４を用いて説明する。図１は、本実施形態によるマスク１の概略構成を示す正面図であって、マスク１を着用者が装着した際に外側に向けられる側から見た図である。図２は、図１に示す線分ＡＡで切断したマスク１の断面を模式的に示す図である。図３は、マスク１の使用状態を模式的に示す図である。
図１に示すように、マスク１は、着用者の口を少なくとも覆うマスク本体部３を有している。マスク本体部３は長方形形状を有している。マスク本体部３の角部は曲線形状に形成されている。これにより、着用者がマスク１を装着した際に、マスク本体部３の角部が着用者の頬に触れても着用者に痛みや痒みなどの不快感を与えないようになっている。マスク本体部３は、着用者がマスク１を装着した際に着用者の左側に配置される第１側端縁部３９ａと、第１側端縁部３９ａに対向し着用者の右側に配置される第２側端縁部３９ｂとを有している。マスク本体部３は、第１側端縁部３９ａと第２側端縁部３９ｂとに直交する上端縁部３９ｃ及び下端縁部３９ｄを有している。着用者がマスク１を装着した際に、上端縁部３９ｃは着用者の鼻側に位置し、下端縁部３９ｄは着用者の顎側に位置する。
【００１１】
マスク本体部３は、例えば熱可塑性合成樹脂で形成された複数の不織布を重ね合わせて形成されている。重ね合わされる複数の不織布は、第１側端縁部３９ａ近傍の第１溶着領域３１ａと、第２側端縁部３９ｂ近傍の第２溶着領域３１ｂと、上端縁部３９ｃ近傍の上側溶着領域３１ｃと、下端縁部３９ｄ近傍の下側溶着領域３１ｄとで互いに溶着されている。図１では、第１溶着領域３１ａ、第２溶着領域３１ｂ、上側溶着領域３１ｃ及び下側溶着領域３１ｄにおいて実際に溶着されている部位は、白色の四角枠で図示されている。
【００１２】
マスク１は、マスク本体部３が襞状に折り畳まれた襞型（プリーツ型）のマスクである。図１及び図２に示すように、マスク本体部３は、第１側端縁部３９ａと第２側端縁部３９ｂとの間に亘って形成された複数の折り目によって段階的に折り畳まれている。マスク本体部３は、中央に設けられた中央襞部３３と、中央襞部３３の折り返し部３３１ａと一部が対向して上端縁部３９ｃ側に設けられた第１上側襞部３５ａと、第１上側襞部３５ａの折り返し部３５ａと一部が対向して端部が上端縁部３９ｃとなる第２上側襞部３７ａとを有している。また、マスク本体部３は、中央襞部３３の折り返し部３３１ｂと一部が対向して下端縁部３９ｄ側に設けられた第１下側襞部３５ｂと、第１下側襞部３５ｂの折り返し部３５１ｂと一部が対向して端部が下端縁部３９ｄとなる第２下側襞部３７ｂとを有している。中央襞部３３、第１及び第２上側襞部３５ａ，３７ａ並びに第１及び第２下側襞部３５ｂ，３７ｂを用いて展開されるマスク本体部３の状態については後述する。
【００１３】
マスク１は、第１側端縁部３９ａの中央部及び第２側端縁部３９ｂの中央部のそれぞれに形成された切れ込み部７ａ，７ｂを有している。切れ込み部７ａは、第１側端縁部３９ａが中央襞部３３に湾曲したＶ字形状に食い込んで形成されている。切れ込み部７ｂは、第２側端縁部３９ｂが中央襞部３３に湾曲したＶ字形状に食い込んで形成されている。切れ込み部７ａ，７ｂは、マスク本体部３を展開したときに、第１側端縁部３９ａ及び第２側端縁部３９ｂに曲げ応力がかかってマスク本体部３と着用者の顔面との間に隙間が形成されるのを防止する。すなわち、切れ込み部７ａ，７ｂは、この応力を逃がす応力逃げ部として機能するようになっている。
【００１４】
マスク１は、上端縁部３９ｃ側に設けられ、上端縁部３９ｃの一部を所定の形状で保持する保形部材９を有している。保形部材９は上側溶着領域３１ｃに配置されている。保形部材９は、上側溶着領域３１ｃにおいて複数の不織布を溶着する部位の間に挟まれて配置されている。これにより、保形部材９は、保形部材９の表面側及び裏面側に設けられた不織布によって挟まれるので、所定位置からほとんどずれずに上側溶着領域３１ｃに配置される。図２に示すように、本実施形態では、保形部材９は、マスク本体部３の上端側を折り曲げて形成された空間部に配置されている。
【００１５】
図１に戻って、保形部材９は、薄板長方形状を有している。保形部材９は、可撓性の熱可塑性樹脂（例えばプラスチック）などで形成されている。保形部材９は、着用者が容易に曲げることができるようになっている。また、保形部材９は、一旦所定形状に変形すると、再び外力がかからない限りその所定形状を保持するようになっている。このため、着用者がマスク１を着用した後に保形部材９を鼻の形状に合わせて変形させると、保形部材９は、マスク本体部３の上端縁部３９ｃ及び上側溶着領域３１ｃの一部を着用者の鼻の形状に合った状態で保持できる。これにより、保形部材９は、上端縁部３９ｃ及び上側溶着領域３１ｃと着用者の顔面との間に隙間が生じるのを防止できる。
【００１６】
マスク１は、マスク本体部３の第１側端縁部３９ａに環状に接続された第１耳掛け部５ａと、第２側端縁部３９ｂに環状に接続された第２耳掛け部５ｂとを有している。第１耳掛け部５ａの一端は、第１側端縁部３９ａ及び上端縁部３９ｃが交わる位置であってマスク本体部３の左上角部に接続されている。第１耳掛け部５ａの他端は、第１側端縁部３９ａ及び下端縁部３９ｄが交わる位置であってマスク本体部３の左下角部に接続されている。第２耳掛け部５ｂの一端は、第１側端縁部３９ａ及び上端縁部３９ｃが交わる位置であってマスク本体部３の右上角部に接続されている。第２耳掛け部５ｂの他端は、第１側端縁部３９ａ及び下端縁部３９ｄが交わる位置であってマスク本体部３の右下角部に接続されている。第１耳掛け部５ａの一端及び他端はマスク本体部３の裏面（着用者側の面）に溶着され、第２耳掛け部５ｂの一端及び他端はマスク本体部３の裏面に溶着されている。第１耳掛け部５ａの一端が溶着部５１ａとなり、第１耳掛け部５ａの他端が溶着部５３ａとなり、第２耳掛け部５ｂの一端が溶着部５１ｂとなり、第２耳掛け部５ｂの他端が溶着部５３ｂとなる。
【００１７】
第１耳掛け部５ａ及び第２耳掛け部５ｂはそれぞれ、糸状部材を編組して伸縮性を有する紐状に形成されている。第１耳掛け部５ａ及び第２耳掛け部５ｂはそれぞれ、糸状部材を編組して形成されたメッシュ構造の側壁を備えた筒形状を有している。第１耳掛け部５ａ及び第２耳掛け部５ｂはそれぞれ、例えばリリアン編み又は筒編みにより形成さている。第１耳掛け部５ａ及び第２耳掛け部５ｂを構成する糸状部材は、熱可塑性合成樹脂で形成されている。第１耳掛け部５ａ及び第２耳掛け部５ｂは、熱可塑性合成樹脂として例えばポリウレタン及びポリエステルが用いられている。第１耳掛け部５ａ及び第２耳掛け部５ｂは、糸状のポリウレタン及び糸状のポリエステルを交差して編むことによって形成されている。第１耳掛け部５ａ及び第２耳掛け部５ｂの種々の特性については後述する。
【００１８】
次に、本実施形態によるマスク１の使用態様について説明する。中央襞部３３、第１及び第２上側襞部３５ａ，３７ａ並びに第１及び第２下側襞部３５ｂ，３７ｂが折り畳まれた状態（図１に示す状態）のマスク１を、着用者が上端縁部３９ｃ及び下端縁部３９ｄが互いに離れる方向にマスク本体部３を引っ張ると、図３に示すように、マスク本体部３は展開される。より具体的に、中央襞部３３の折り返し部３３１ａと、折り返し部３３１ａに対向配置されていた第１上側襞部３５ａの一部とが中央襞部３３の下方から引き出される。また、第１上側襞部３５ａの折り返し部３５１ａと、折り返し部３５１ａに対向配置されていた第２上側襞部３７ａとが第１上側襞部３５ａの下方から引き出される。同様に、中央襞部３３の折り返し部３３１ｂと、折り返し部３３１ｂに対向配置されていた第１下側襞部３５ｂの一部とが中央襞部３３の下方から引き出される。また、第１下側襞部３５ａの折り返し部３５１ｂと、折り返し部３５１ｂに対向配置されていた第２下側襞部３７ｂとが第１下側襞部３５ｂの下方から引き出される。
【００１９】
マスク本体部３の各襞部３３，３５ａ，３５ｂ，３７ａ，３７ｂは、第１溶着領域３１ａでは展開できない。このため、図３に示すように、マスク本体部３は、切り込み部７ａ及び切り込み部７ｂ（図３では不図示）近傍を中心として扇のように展開される。これにより、耳掛け部５ａを左耳に掛け、耳掛け部５ｂを右耳に掛けることにより、中央襞部３３は、着用者の口元に配置され、第１及び第２上側襞部３５ａ，３７ａが着用者の鼻側に配置され、第１及び第２下側襞部３５ｂ，３７ｂが着用者の顎側に配置される。マスク本体部３は、扇のように展開しているため、着用者の鼻の頭から口元にかけてマスク本体部３の裏面側と着用者の顔面との間には空間が形成される。これにより、着用者は息苦しさを感じずに長時間マスク１を着用できる。
【００２０】
また、詳細は後述するが、第１及び第２耳掛け部５ａ，５ｂは、伸長した状態から伸長していない状態に戻ろうとする戻り力が所定の範囲となるように形成されている。このため、マスク１は、着用者がマスク１を長時間装着していても、着用者の耳に痛みや痒みなどの不快感を与えないようになっている。
また、着用者がマスク１を装着した後に保形部材９を鼻の形状に合わせて変形させることにより、保形部材９は、上端縁部３９ｃ及び上側溶着領域３１ｃと着用者の顔面との間に隙間が生じるのを防止できる。さらに、切れ込み部７ａ，７ｂは、マスク本体部３が展開されたときに、第１側端縁部３９ａ及び第２側端縁部３９ｂに加わる応力を逃がしてマスク本体部３と着用者の顔面との間に隙間が形成されるのを防止する。このため、マスク１は、マスク１の装着中にマスク本体部３と着用者の顔面との間に形成される空間に埃などが進入するのを防止できる。これにより、マスク１は、着用者がマスク１を長時間装着していても不快感を与えないようになっている。
【００２１】
次に、本実施形態によるマスクに用いられる耳掛け部の種々の特性のうち、戻り力、断面積及び体積パーセント（以下、「体積％」と称する）について図１から図３を参照しつつ図４を用いて詳細に説明する。
ところで、一般にマスクの使用時では、耳掛け部はマスクを使用していない状態よりも引き延ばされた状態となる。耳掛け部は、弾性力を有しているため、引き延ばされると伸びていない状態に戻ろうとして戻り力が生じる。マスクを使用した場合、耳掛け部の戻り力に起因して耳掛け部と接する耳後部に耳掛け部から力が加わり、マスクの着用者は窮屈に感じたり、長時間のマスクの着用により痛みを感じたりして快適な装着感を得られない場合がある。一方、マスクの使用時に耳掛け部に戻り力が生じなかったり戻り力が極めて弱かったりすると、マスクが着用者の顔面から容易に外れてしまい、着用者は快適な装着感を得られない問題が生じる場合がある。そこで、本実施形態によるマスク１は、耳掛け部５ａ，５ｂの戻り力の最適化が図られている。
【００２２】
図４は、マスク１に用いられている耳掛け部５ａ，５ｂと同一の構成を有する耳掛け部のサンプルＡ及びサンプルＢの戻り力の特性を示すグラフである。図４（ａ）は、サンプルＡ及びサンプルＢの戻り力の全体の特性を示し、図４（ｂ）は、図４（ａ）に示す戻り力の特性の伸長量が０（ｍｍ）から１５０（ｍｍ）までの範囲を拡大して示している。図４（ａ）及び図４（ｂ）の横軸は、サンプルＡ，Ｂの伸びた長さである伸長量（ｍｍ）を示し、縦軸は戻り力（Ｎ）を示している。また、図４に示す特性は、サンプルＡ，Ｂの一端を固定し他端を一端から遠ざかる方向に一直線上で動かしたときのサンプルＡ，Ｂの伸長量に対する戻り力をプロットして得られている。サンプルＡ，Ｂの他端を動かしたときにサンプルＡ，Ｂの伸びる部位の初期値（伸びる前の長さ）は８０（ｍｍ）である。
【００２３】
図４（ａ）に示すように、耳掛け部の戻り力は、伸長量が所定値まではほぼ線形に増加し、この所定値を超えると急激に増加する特性を有している。なお、サンプルＡの戻り力が伸長量１８０（ｍｍ）程度で突然０（Ｎ）となり、サンプルＢの戻り力が伸長量１７２（ｍｍ）程度で突然０（Ｎ）となっているのは、サンプルＡ，Ｂが破断したためである。また、サンプルＡ，Ｂの戻り力が伸長量１４０（ｍｍ）以上の領域で急激に低下する現象が現れるのは、サンプルＡ，Ｂに部分破断が生じたためと考えられる。
【００２４】
図４（ｂ）に示すように、耳掛け部の戻り力の特性は、伸長量が約８０（ｍｍ）に変極点を有している。耳掛け部の戻り力は、伸長量８０（ｍｍ）までの増加量よりも伸長量８０（ｍｍ）以上での増加量の方が大きくなる。このため、耳掛け部の伸びる部位の長さが８０（ｍｍ）の場合には、マスクを装着することによって耳掛け部の伸長量が８０（ｍｍ）よりも短い場合よりも８０（ｍｍ）以上の場合の方が、耳掛け部の伸び率が同じであっても、着用者が耳に痛みを感じやすくなる。したがって、第１及び第２耳掛け部５ａ，５ｂの戻り力は、伸びる部位の長さが８０（ｍｍ）換算で伸長量８０（ｍｍ）よりも短い方が望ましい。
【００２５】
ここで、本願考案者は、耳掛け部の戻り力に対する着用者の痛みの主観評価を行った。図１に示すマスク１と同一形状のマスクの耳掛け部の長さを、市販されているマスクの耳掛け部と同等の長さとしたマスクサンプルＣと、市販されているマスクの耳掛け部よりも短い長さとしたマスクサンプルＤとを準備した。耳掛け部とマスク本体部との溶着部（例えば図１に示す溶着部５１ａ，５３ａ）を除くマスクサンプルＣの耳掛け部の長さは１４５（ｍｍ）である。耳掛け部とマスク本体部との溶着部を除くマスクサンプルＤの耳掛け部の長さは１０５（ｍｍ）である。また、マスクサンプルＣ及びマスクサンプルＤのいずれも、装着前の耳掛け部の太さ（溶着部を除く）は直径５ｍｍであり、装着前の耳掛け部の断面積は１９．６（ｍｍ２）である。
【００２６】
マスクサンプルＣ，Ｄをそれぞれ１時間装着した後に耳に痛みを感じるか否かを主観評価した。評価は、「痛みを感じない」（以下、「段階１」と称する）、「やや痛みを感じるが不快感はない」（以下、「段階２」と称する）及び「痛みを感じ不快感がある」（以下、「段階３」と称する）の３段階とし、段階１及び２は実使用上問題がない痛みのレベルであるが、段階３は実使用上問題がある痛みのレベルである。被験者は男性及び女性を任意に選択し、総計２０人であった。
マスクサンプルＣでは、段階１が１７人、段階２が３人、段階３が０人という評価結果であった。マスクサンプルＤでは、段階１が８人、段階２が７人、段階３が５人という評価結果であった。以上の結果より、マスクサンプルＣは実使用上問題ないが、マスクサンプルＤは実使用上問題があると考えられる。
【００２７】
そこで、マスクサンプルＣ，Ｄの使用時の耳掛け部の戻り力を図４に示す耳掛け部の戻り力の特性を用いて算出した。耳掛け部の伸びる部位の初期値によって伸長量に対する戻り力は異なる。このため、マスクサンプルＣ，Ｄに用いられた耳掛け部の伸びる部位の伸長量を図４に示す特性を取得したサンプルＡ，Ｂの伸びる部位の伸長量に換算する必要がある。サンプルＡ，Ｂの伸びる部位の初期値をＬ０とし、マスクサンプルＣ，Ｄに用いられた耳掛け部の伸びる部位の初期値をＬｘとし、マスクサンプルＣ，Ｄに用いられた耳掛け部の伸長量をΔＬｘとすると、伸長量ΔＬｘをサンプルＡ，Ｂの伸長量に換算した換算値ΔＬは、以下の式（１）により求めることができる。
ΔＬ＝（ΔＬｘ×Ｌ０）／Ｌｘ  ・・・（１）
【００２８】
サンプルＡ，Ｂの初期値Ｌ０は、８０（ｍｍ）であり、マスクサンプルＣに用いられた耳掛け部の初期値Ｌｘは、１４５（ｍｍ）であり、マスクサンプルＤに用いられた耳掛け部の初期値Ｌｘは、１０５（ｍｍ）である。また、マスクサンプルＣに用いられた耳掛け部の伸長量ΔＬｘは、６５（ｍｍ）であり、マスクサンプルＤに用いられた耳掛け部の伸長量ΔＬｘは、１０５（ｍｍ）である。なお、マスクサンプルＣ，Ｄの耳掛け部の伸長量は、成人平均人頭模型（産業技術総合研究所製）を用いて測定した。
【００２９】
式（１）より、マスクサンプルＣに用いられた耳掛け部の伸長量ΔＬｘの換算値ΔＬは、３５．９（ｍｍ）となり、マスクサンプルＤに用いられた耳掛け部の伸長量ΔＬｘの換算値ΔＬは、８０．０（ｍｍ）となる。図４に示す戻り力の特性より、評価時のマスクサンプルＣに用いられた耳掛け部の戻り力は、換算値ΔＬ＝３５．９（ｍｍ）に対応する０．２０８（Ｎ）となり、評価時のマスクサンプルＤに用いられた耳掛け部の戻り力は、換算値ΔＬ＝８０（ｍｍ）に対応する０．５１２（Ｎ）となる。したがって、耳掛け部の戻り力は、０．５１２（Ｎ）よりも小さい値である必要がある。ここで得られた戻り力０．５１２（Ｎ）は、図４（ｂ）に示す戻り力の特性の変極点における戻り力に近い値である。
【００３０】
上述のとおり、マスクの使用時に耳掛け部に戻り力が生じなかったり戻り力が極めて弱かったりすると、マスクが着用者の顔面から容易に外れてしまう。マスクの上端縁部と着用者の顔面との間の間隔が１０（ｍｍ）となると実使用上問題が生じる。そこで、図１に示すマスク１と同一形状のマスクの耳掛け部の長さを市販されているマスクの耳掛け部よりも長くできるマスクサンプルＥを準備した。マスクサンプルＥを上記の成人平均人頭模型に装着してマスクの上端縁部と成人平均人頭模型との間に生じる間隔が１０（ｍｍ）となるまで耳掛け部の長さを長くする実験を行った。その結果、耳掛け部の初期値Ｌｘが１８６（ｍｍ）のマスクサンプルＥを成人平均人頭模型に装着すると、マスクの上端縁部と成人平均人頭模型との間に生じる間隔が１０（ｍｍ）となった。この装着時の耳掛け部の長さは１９０（ｍｍ）であり、伸長量ΔＬｘは４（ｍｍ）（＝１９０−１８６）であった。
【００３１】
このため、式（１）より、マスクサンプルＥに用いられた耳掛け部の伸長量ΔＬｘの換算値ΔＬは、１．７２（ｍｍ）となる。図４に示す戻り力の特性より、評価時のマスクサンプルＥに用いられた耳掛け部の戻り力は、換算値ΔＬ＝１．７２（ｍｍ）に対応する０．０１６（Ｎ）となる。したがって、耳掛け部の戻り力は、０．０１６（Ｎ）よりも強くする必要がある。
以上の結果より、マスク１に溶着された第１及び第２耳掛け部５ａ，５ｂは、戻り力が０．０１６（Ｎ）よりも強く０．５１２（Ｎ）よりも弱い値となるように形成されている。
【００３２】
また、耳掛け部は、着用者の耳後部に接触するため、細すぎると接触面積が小さくなり着用者が痛みを感じやすくなり、太すぎると耳に引っ掛かりにくくなり耳から容易に外れてしまうという問題が生じる場合がある。そこで、本実施形態によるマスク１は、耳掛け部５ａ，５ｂの戻り力の他に断面積も最適化が図られている。この断面積は、線状部材が編まれた状態での断面積である。したがって、この断面積は、耳掛け部５ａ，５ｂの外形を測定（例えば断面形状が円形であれば直径を測定、四角形状ならば縦横の長さを測定）して算出される断面積である。このため、この断面積は、耳掛け部５ａ，５ｂの溶着部５１ａ，５３ａ，５１ｂ，５３ｂでの断面積ではない。また、耳掛け部５ａ，５ｂを切断した切断部で線状部材が放射状に広がった状態の断面積でもない。
【００３３】
マスクサンプルＣに用いられた耳掛け部は、使用していない状態の直径（溶着部を除く）が５（ｍｍ）であるため、断面積は０．１９６（ｃｍ２）（１９．６（ｍｍ２））である。また、耳掛け部の戻り力が０．５１２（Ｎ）のときの直径（溶着部を除く）の測定値は３（ｍｍ）であるため、断面積は０．０７（ｃｍ２）（７．０（ｍｍ２））である。したがって、マスク１に溶着された第１及び第２耳掛け部５ａ，５ｂは、断面積が０．０７（ｃｍ２）から０．１９６（ｃｍ２）以下となるように形成される。
【００３４】
上述のとおり、第１及び第２耳掛け部５ａ，５ｂは、糸状部材を編組して形成されたメッシュ構造の側壁を備えた筒形状を有している。このため、第１及び第２耳掛け部５ａ，５ｂは、糸状部材と、メッシュ構造部分の空気及び筒形状における中空部分の空気とで構成されている。したがって、第１及び第２耳掛け部５ａ，５ｂのように糸状部材と空気とで構成される耳掛け部は、全体積に対する糸状部材及び空気のそれぞれの体積の比率によって触感が異なる。糸状部材及び空気のこれらの比率は、マスクの装着感（耳掛け部に起因する痛みを感じるか否か）に影響する。そこで、本実施形態によるマスク１は、第１及び第２耳掛け部５ａ，５ｂの戻り力及び断面積の他に第１及び第２耳掛け部５ａ，５ｂにおける線状部材の含有率も最適化が図られている。
【００３５】
本実施形態における第１及び第２耳掛け部５ａ，５ｂは、線状部材としてポリウレタンの線材とポリエステルの線材とが用いられている。ここで、
第１線材の比重：ＳＧ１
第２線材の比重：ＳＧ２
全線状部材に対する第１線材の比率：Ｐ１
全線状部材に対する第２線材の比率：Ｐ２
耳掛け部の質量：Ｍ
耳掛け部の体積：Ｖ
耳掛け部の空気の体積：Ｖｘ
とすると、耳掛け部の空気の体積は、以下の式（２）で求めることができる。なお、空気の質量は無視する。
ＳＧ１×（Ｖ−Ｖｘ）×Ｐ１＋ＳＧ２×（Ｖ−Ｖｘ）×Ｐ２＝Ｍ
Ｖｘ＝｛（ＳＧ１×Ｐ１＋ＳＧ２×Ｐ１）Ｖ−Ｍ｝／（ＳＧ１×Ｐ１＋ＳＧ２×Ｐ２）
・・・（２）
【００３６】
サンプルＡ，Ｂを形成するポリウレタンの比重ＳＧ１は１．２であり、ポリエステルの比重ＳＧ２は１．３８であり、ポリウレタンの比率Ｐ１は３５％であり、ポリエステルの比率Ｐ２は６５％であり、１４５（ｍｍ）の長さのサンプルＡ，Ｂの質量Ｍは０．１４５（ｇ）である。伸びていない状態のサンプルＡ，Ｂの直径は５（ｍｍ）であるため、伸びていない状態のサンプルＡ，Ｂの空気の体積Ｖｘは、式（２）より、２．７４（ｃｍ３）となる。したがって、サンプルＡ，Ｂの全体積に対する線状部材の体積％は、３．８７（＝（Ｖ−Ｖｘ）／Ｖｘ）となる。
【００３７】
また、マスクサンプルＤに用いられた耳掛け部の戻り力が０．５１２（Ｎ）となるときの耳掛け部の長さは２１０（ｍｍ）であり、直径は３．０（ｍｍ）である。また、マスクサンプルＤに用いられた耳掛け部は、伸びていない状態の長さが１０５（ｍｍ）である。また、マスクサンプルＤに用いられた耳掛け部を構成する線状部材の材料や比率Ｐ１，Ｐ２は、サンプルＡ，Ｂと同様であり、マスクサンプルＤに用いられた耳掛け部の質量は０．１０５（ｇ）である。耳掛け部の質量は、長さの伸縮によらず一定であるため、マスクサンプルＤに用いられた耳掛け部の戻り力が０．５１２（Ｎ）の状態での空気の体積Ｖｘは、式（２）より、１．４０（ｃｍ３）となる。したがって、マスクサンプルＤに用いられた耳掛け部の戻り力が０．５１２（Ｎ）の状態での全体積に対する線状部材の体積％は、５．３７（＝（Ｖ−Ｖｘ）／Ｖｘ）となる。
【００３８】
以上より、マスク１に溶着された第１及び第２耳掛け部５ａ，５ｂは、第１及び第２耳掛け部５ａ，５ｂにおける線状部材の含有率が３．８７体積％以上であって５．３７体積％よりも低くなるように形成されている。第１及び第２耳掛け部５ａ，５ｂは、伸びていない状態から使用時の伸びた状態に亘って、全体積に対する線状部材の体積％を上記の範囲内に収まるように設定されているので、マスク１は、マスク１を長時間装着しても着用者が痛みを感じるのを防止できる。
【００３９】
次に、本実施形態によるマスク１の効果について説明する。上述の特性を有する第１及び第２耳掛け部５ａ，５ｂは、伸びていない状態での密度が０．０５（ｇ／ｃｍ３）（＝０．１４５／（π×０．２５×０．２５）となる。なお、この密度は、第１及び第２耳掛け部５ａ，５ｂが伸びていない状態での質量を同状態での体積で除算して算出した密度である。
ここで、比較サンプルとして市販されている５種類のマスク（以下、「比較サンプル」と称する）に設けられた耳掛け部が伸びていない状態での密度は、以下のとおりであった。
比較サンプル１：０．１５（ｇ／ｃｍ３）
比較サンプル２：０．１２（ｇ／ｃｍ３）
比較サンプル３：０．０９（ｇ／ｃｍ３）
比較サンプル４：０．０８（ｇ／ｃｍ３）
比較サンプル５：０．１６（ｇ／ｃｍ３）
【００４０】
空気の質量は無視できるため、密度が高くなると、耳掛け部に含まれる線状部材の含有量が大きくなる傾向にある。線状部材の形成材料にもよるが、マスクの耳掛け部として一般的に用いられている熱可塑性合成樹脂であれば、耳掛け部に含まれる線状部材の含有量が大きくなると、耳掛け部は硬くなる。このため、密度の高い耳掛け部を有するマスクを長時間装着した場合、着用者は痛みなどの不快感を得やすくなる。本実施形態における第１及び第２耳掛け部５ａ，５ｂは、戻り力、断面積及び体積％の少なくともいずれか１つを最適値に設定することにより、従来のマスクに用いられた耳掛け部と比較して上述の密度が低くなっている。これにより、マスク１は、着用者が長時間装着していても痛みなどの不快感を与え難くできる。
【００４１】
また、別の観点からマスク１の効果について説明する。マスクを装着している場合、着用者は、耳掛け部に接触する耳後部に耳掛け部から圧力を受ける。ここで、戻り力を接触面積で除算した値を接触圧力として定義する。接触面積は、上述の成人平均人頭模型の耳後部に耳掛け部の表面積の半分が接触する面積とする。マスクサンプルＣでは、耳掛け部が成人平均人頭模型の耳後部に接触する長さが１０１（ｍｍ）であり、耳掛け部の直径が５（ｍｍ）であるため、接触面積は７．９（ｃｍ２）となる。マスクサンプルＣにおける戻り力は０．２０８（Ｎ）であるため、接触圧力は０．０３（Ｎ／ｃｍ２）となる。
上述の比較サンプル１から５について、マスクサンプルＣと同様の手法によって戻り力を測定して算出された接触圧力は、以下のとおりであった。
比較サンプル１：０．０７（Ｎ／ｃｍ２）
比較サンプル２：０．１１（Ｎ／ｃｍ２）
比較サンプル３：０．０８（Ｎ／ｃｍ２）
比較サンプル４：０．１２（Ｎ／ｃｍ２）
比較サンプル５：０．０８（Ｎ／ｃｍ２）
【００４２】
上述の接触圧力は、成人平均人頭模型を用いている点において、マスクの着用者が耳掛け部から受ける実際の値とは異なるものの、同じ条件の元に算出されたマスクサンプルＣ及び比較サンプル１から５の接触圧力を見ると、本実施形態によるマスク１と同様の構成を有するマスクサンプルＣは、比較サンプル１から５と比較して接触圧力が最も低い値となっている。このように、本実施形態における第１及び第２耳掛け部５ａ，５ｂは、戻り力、断面積及び体積％の少なくともいずれか１つを最適値に設定することにより、従来のマスクに用いられた耳掛け部と比較して上述の接触圧力が低くなっている。これにより、マスク１は、着用者が長時間装着していても痛みなどの不快感を与え難くできる。
【００４３】
本考案は、上記実施形態に限らず種々の変形が可能である。
上記実施形態によるマスクは、襞型のマスク本体部を有しているが、本考案はこれに限られない。マスクは、立体型のマスク本体部を有していても、上記実施形態と同様の効果が得られる。
また、上記実施形態における耳掛け部は、円形状の断面を有しているが本考案はこれに限られない。例えば、耳掛け部は、四角形状の断面を有する平型形状であっても、戻り力、断面積及び体積％の少なくともいずれか１つが上記範囲に設定されていれば、上記実施形態と同様の効果が得られる。
また、上記実施形態によるマスクは、保形部材９が設けられた領域のマスク本体部の裏面側に曇り止めパッドを有していてもよい。
上記の実施形態は、本考案の技術的思想を具体化するための装置を例示するものであって、本考案の技術的思想は、構成部品の材質、形状、構造、配置等を下記のものに特定するものでない。本考案の技術的思想は、実用新案登録請求の範囲に記載された請求項が規定する技術的範囲内において、種々の変更を加えることができる。
【符号の説明】
【００４４】
１  マスク
３  マスク本体部
５ａ  第１耳掛け部部
５ｂ  第２耳掛け部
７ａ，７ｂ  切り込み部
９  保形部材
３１ａ  第１溶着領域
３１ｂ  第２溶着領域
３１ｃ  上側溶着領域
３１ｄ  下側溶着領域
３３  中央襞部
３５ａ  第１上側襞部
３５ｂ  第１下側襞部
３７ａ  第２上側襞部
３７ｂ  第２下側襞部
３９ａ  第１側端縁部
３９ｂ  第２側端縁部
３９ｃ 上端縁部
３９ｄ 下端縁部
５１ａ，５３ａ，５１ｂ，５３ｂ  溶着部
３３１ａ，３３１ｂ，３３５ａ，３３５ｂ  折り返し部
【図１】
0003197113.tif 000003
【図２】
0003197113.tif 000004
【図３】
0003197113.tif 000005
【図４】
0003197113.tif 000006
【手続補正書】
【提出日】平成27年2月20日(2015.2.20)
【手続補正１】
【補正対象書類名】実用新案登録請求の範囲
【補正対象項目名】全文
【補正方法】変更
【補正の内容】
【実用新案登録請求の範囲】
【請求項１】
着用者の口を少なくとも覆うマスク本体部と、
前記マスク本体部に接続され、伸縮性を有する紐状に形成された耳掛け部と
を有し、
前記耳掛け部の断面積は、０．０７（ｃｍ２）から０．１９６（ｃｍ２）であるマスク。
【請求項２】
前記耳掛け部は、伸長した状態から伸長していない状態に戻ろうとする戻り力が０．０１６（Ｎ）よりも強く０．５１２（Ｎ）よりも弱い
請求項１に記載のマスク。
【請求項３】
前記耳掛け部は、糸状部材を編組して形成されており、
前記耳掛け部における前記糸状部材の含有率は、３．８７体積パーセント以上であって５．３７体積パーセントよりも低い
請求項１又は２に記載のマスク。
【請求項４】
前記耳掛け部は、前記糸状部材を編組して形成されたメッシュ構造の側壁を備えた筒形状を有する
請求項３に記載のマスク。
【請求項５】
前記糸状部材は、熱可塑性合成樹脂で形成されている
請求項３又は４に記載のマスク。
【請求項６】
着用者の口を少なくとも覆うマスク本体部と、
前記マスク本体部の第１側端縁部及び前記第１側端縁部に対向する第２側端縁部にそれぞれ環状に接続され、糸状部材を編組して伸縮性を有する紐状に形成された耳掛け部と、
前記第１側端縁部の中央部及び前記第２側端縁部の中央部のそれぞれに形成された切れ込み部と、
前記第１側端縁部と前記第２側端縁部とに直交する上端縁部側に設けられ、上端縁部の一部を所定の形状で保持する保形部材と
を有し、
前記耳掛け部は、伸長した状態から伸長していない状態に戻ろうとする戻り力が０．０１６（Ｎ）よりも強く０．５１２（Ｎ）よりも弱く、
前記耳掛け部の断面積は、０．０７（ｃｍ２）から０．１９６（ｃｍ２）であり、
前記耳掛け部における前記糸状部材の含有率は、３．８７体積パーセント以上であって５．３７体積パーセントよりも低いマスク。
【手続補正２】
【補正対象書類名】明細書
【補正対象項目名】０００５
【補正方法】変更
【補正の内容】
【０００５】
本考案の第１の態様によるマスクは、着用者の口を少なくとも覆うマスク本体部と、前記マスク本体部に接続され、伸縮性を有する紐状に形成された耳掛け部とを有し、前記耳掛け部の断面積は、０．０７（ｃｍ２）から０．１９６（ｃｍ２）である。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
本考案の第２の態様によるマスクは、着用者の口を少なくとも覆うマスク本体部と、前記マスク本体部の第１側端縁部及び前記第１側端縁部に対向する第２側端縁部にそれぞれ環状に接続され、糸状部材を編組して伸縮性を有する紐状に形成された耳掛け部と、前記第１側端縁部の中央部及び前記第２側端縁部の中央部のそれぞれに形成された切れ込み部と、前記第１側端縁部と前記第２側端縁部とに直交する上端縁部側に設けられ、上端縁部の一部を所定の形状で保持する保形部材とを有し、前記耳掛け部は、伸長した状態から伸長していない状態に戻ろうとする戻り力が０．０１６（Ｎ）よりも強く０．５１２（Ｎ）よりも弱く、前記耳掛け部の断面積は、０．０７（ｃｍ２）から０．１９６（ｃｍ２）であり、前記耳掛け部における前記糸状部材の含有率は、３．８７体積パーセント以上であって５．３７体積パーセントよりも低い。